(57)【要約】【課題】簡易な構造によりスクリーンが巻取軸に誤った方向、すなわち逆巻きに巻き取られるのを防止する。【解決手段】スクリーンを巻き付けた巻取軸をスクリーンボックスの両端に設けた駆動キャップと軸受キャップで回転自在に支持し、駆動キャップに巻取軸を手動により正逆回転させる駆動手段を設け、スクリーンの繰り出し及び巻き取りをできるようにした巻取式スクリーン装置において、スクリーンの全繰り出し後に、巻取軸に駆動手段の操作によるスクリーンの巻き取り方向の駆動力のみ伝達するが、スクリーンの繰り出し方向の駆動力を遮断するスクリーンの逆巻き防止機構を設ける。【選択図】        図１
2005023682.tif 000002
【特許請求の範囲】
【請求項１】
スクリーンを巻き付けた巻取軸をスクリーンボックスの両端に設けた駆動キャップと軸受キャップで支持すると共に、上記駆動キャップに巻取軸を手動操作により正逆回転させる駆動手段を設けることにより、上記スクリーンの繰り出し及び巻き取りをできるようにした巻取式スクリーン装置において、
上記駆動手段に、巻取軸をスクリーンの巻き取り方向に駆動する場合には該巻取軸に駆動力を伝達するが、巻取軸をスクリーンの繰り出し方向に駆動する場合には、スクリーンの全繰り出し後においてスクリーンにボトムバーの重量が繰り出し方向回転力として作用しなくなり、あるいはスクリーンの逆巻きにより該ボトムバーの重量が巻取軸の回転駆動の抵抗力になったときに駆動力の伝達を遮断するところの、スクリーンの逆巻き防止機構を付設した、
ことを特徴とする巻取式スクリーン装置。
【請求項２】
スクリーンの逆巻き防止機構を、前記駆動手段における伝動軸と巻取軸との間にラチェットを介在させることにより構成し、
上記ラチェットと巻取軸との間は、ラチェットが伝動軸の正逆回転にかかわらず巻取軸に係合し、
伝動軸とラチェットの間は、巻取軸をスクリーンの巻き取り方向に駆動する場合には上記伝動軸における伝動突起とラチェットにおける係合突部が常に係合し、巻取軸をスクリーンの繰り出し方向に駆動する場合には、ボトムバーの重量がスクリーンを介して巻取軸に繰り出し方向回転力として作用しなくなり、あるいはスクリーンの逆巻きにより該ボトムバーの重量が巻取軸の回転駆動の抵抗力になったときに、上記伝動軸における伝動突起がラチェットにおける係合突部との係合を解除して空転するものとした、
ことを特徴とする請求項１に記載の巻取式スクリーン装置。
【請求項３】
スクリーンの逆巻き防止機構を、巻取軸の端部に嵌着される軸キャップの嵌着部周面に開口部を開設すると共に、該開口部に軸キャップの嵌着部と略同径の円筒の一部を切除して略Ｃ字状に形成したラチェットを嵌合し、上記軸キャップに駆動手段の伝動軸を嵌挿することにより構成し、
上記ラチェットの両周端に、他の周面より小径で且つ可撓な可撓部を形成すると共に、該可撓部の内周面に係合突部を形成し、
上記伝動部材における伝動軸の先端に、上記駆動手段の操作により巻取軸をスクリーンの巻き取り方向に回転させたときに、上記ラチェットの係合突部と係合してスクリーンの巻き取り方向の駆動力を伝達するが、上記駆動手段の操作により巻取軸をスクリーンの繰り出し方向に回転させたときには、スクリーンの全繰り出し後において、ボトムバーの重量がスクリーンを介して巻取軸に繰り出し方向回転力として作用しなくなり、あるいはスクリーンの逆巻きにより該ボトムバーの重量が巻取軸の回転駆動の抵抗力になったときに、上記ラチェットの係合突部を可撓部が拡径方向に撓む方向に押圧して伝動部材を空転させ、スクリーンの繰り出し方向の駆動力を遮断する伝動突起を形成した、
ことを特徴とする請求項１に記載の巻取式スクリーン装置。
【請求項４】
ラチェットを、その向きを反転して装着することにより逆の伝動動作を行うものとしたことを特徴とする請求項３に記載の巻取式スクリーン装置。
【請求項５】
ラチェットにおける係合突部は、巻取軸をスクリーンの巻き取り方向に回転させるときに伝動突起が係合する部分を、該伝動突起に対面する対向面とし、巻取軸をスクリーンの繰り出し方向に回転させるときに上記伝動突起が係合する部分を、該伝動突起による押圧で可撓部を変形させることによりその係合が解除される斜面としたことを特徴とする請求項３または４に記載の巻取式スクリーン装置。
【請求項６】
スクリーンの先端に取り付けるボトムバーに、スクリーンを介して巻取軸に繰り出し方向回転力を付与する重錘を付設したことを特徴とする請求項２乃至５の何れかに記載の巻取式スクリーン装置。
【発明の詳細な説明】
【０００１】
【発明の属する技術分野】
本発明は、建物開口部に設置する目隠し用スクリーン、遮光用スクリーン、断熱用スクリーン、防虫用のロール網戸等の各種の巻取式のスクリーン装置に関するものである。
【０００２】
【従来の技術】
従来より、操作紐を操作してスクリーンの繰り出し又は巻き取りを行う巻取式のスクリーン装置は、例を挙げる間もなく一般に広く知られている。この種のスクリーン装置では、概して、スクリーンの巻取軸に連結されたプーリー部材を操作紐やチェーン等の操作部材の操作によって正逆回転させることにより該巻取軸を回転させ、上記スクリーンの繰り出し又は巻き取りを行うようにしている。
しかしながら、従来のこの種のスクリーン装置においては、通常、上記操作部材によってプーリー部材及び巻取軸が正逆方向に自由に回転させることができるため、スクリーンを全部繰り出した時点で操作部材の操作を停止させることなく、さらに操作部材の操作を行った場合、巻取軸を誤った方向、すなわちスクリーンを逆巻きする方向に巻き取ってしまうことになる。これによって、スクリーンの無理な巻き取りが行われ、スクリーンが破損する虞があるだけでなく、スクリーン装置自体が破損してしまう場合も考えられる。
【０００３】
【発明が解決しようとする課題】
叙上に鑑みて、本発明の技術的課題は、簡易な構造により、スクリーンが巻取軸に誤った方向、すなわち逆巻きに巻き取られるのを防止できるようにした巻取式スクリーン装置を提供することにある。
【０００４】
【課題を解決するための手段】
上記課題を解決するための本発明は、スクリーンを巻き付けた巻取軸をスクリーンボックスの両端に設けた駆動キャップと軸受キャップで支持すると共に、上記駆動キャップに巻取軸を手動操作により正逆回転させる駆動手段を設けることにより、上記スクリーンの繰り出し及び巻き取りをできるようにした巻取式スクリーン装置において、上記駆動手段に、巻取軸をスクリーンの巻き取り方向に駆動する場合には該巻取軸に駆動力を伝達するが、巻取軸をスクリーンの繰り出し方向に駆動する場合には、スクリーンの全繰り出し後においてスクリーンにボトムバーの重量が繰り出し方向回転力として作用しなくなり、あるいはスクリーンの逆巻きにより該ボトムバーの重量が巻取軸の回転駆動の抵抗力になったときに駆動力の伝達を遮断するところの、スクリーンの逆巻き防止機構を付設したことを特徴とするものである。
【０００５】
本発明の巻取式スクリーン装置の好ましい実施態様においては、上記スクリーンの逆巻き防止機構を、前記駆動手段における伝動軸と巻取軸との間にラチェットを介在させることにより構成し、該ラチェットと巻取軸との間は、ラチェットが伝動軸の正逆回転にかかわらず巻取軸に係合し、伝動軸とラチェットの間は、巻取軸をスクリーンの巻き取り方向に駆動する場合には上記伝動軸における伝動突起とラチェットにおける係合突部が常に係合し、巻取軸をスクリーンの繰り出し方向に駆動する場合には、ボトムバーの重量がスクリーンを介して巻取軸に繰り出し方向回転力として作用しなくなり、あるいはスクリーンの逆巻きにより該ボトムバーの重量が巻取軸の回転駆動の抵抗力になったときに、上記伝動軸における伝動突起がラチェットにおける係合突部との係合を解除して空転するものとして構成することができ、また、スクリーンの逆巻き防止機構を、巻取軸の端部に嵌着される軸キャップの嵌着部周面に開口部を開設すると共に、該開口部に軸キャップの嵌着部と略同径の円筒の一部を切除して略Ｃ字状に形成したラチェットを嵌合し、上記軸キャップに駆動手段の伝動軸を嵌挿することにより構成し、上記ラチェットの両周端に、他の周面より小径で且つ可撓な可撓部を形成すると共に、該可撓部の内周面に係合突部を形成し、上記伝動部材における伝動軸の先端に、上記駆動手段の操作により巻取軸をスクリーンの巻き取り方向に回転させたときに、上記ラチェットの係合突部と係合してスクリーンの巻き取り方向の駆動力を伝達するが、上記駆動手段の操作により巻取軸をスクリーンの繰り出し方向に回転させたときには、スクリーンの全繰り出し後において、ボトムバーの重量がスクリーンを介して巻取軸に繰り出し方向回転力として作用しなくなり、あるいはスクリーンの逆巻きにより該ボトムバーの重量が巻取軸の回転駆動の抵抗力になったときに、上記ラチェットの係合突部を可撓部が拡径方向に撓む方向に押圧して伝動部材を空転させ、スクリーンの繰り出し方向の駆動力を遮断する伝動突起を形成した構成とすることができる。
この場合、上記ラチェットは、その向きを反転して装着することにより逆の伝動動作を行うものとすることができ、また、ラチェットにおける係合突部は、巻取軸をスクリーンの巻き取り方向に回転させるときに伝動突起が係合する部分を、該伝動突起に対面する対向面とし、巻取軸をスクリーンの繰り出し方向に回転させるときに上記伝動突起が係合する部分を、該伝動突起による押圧で可撓部を変形させることによりその係合が解除される斜面とすることができる。
【０００６】
さらに、スクリーンの先端に取り付けるボトムバーには、スクリーンを介して巻取軸に繰り出し方向回転力を付与する重錘を付設することができる。
【０００７】
上記構成を有する巻取式スクリーン装置は、巻取軸をスクリーンの巻き取り方向に駆動する場合には該巻取軸に駆動力を伝達するが、巻取軸をスクリーンの繰り出し方向に駆動する場合には、スクリーンの全繰り出し後においてスクリーンにボトムバーの重量が繰り出し方向の回転力として作用しなくなり、あるいはスクリーンの逆巻きにより該ボトムバーの重量が巻取軸の回転駆動の抵抗力になったときに駆動力の伝達を遮断する。したがって、スクリーンの全繰り出し後において、駆動手段の操作により巻取軸をスクリーンの巻き取り方向に回転させることはできるが、スクリーンの繰り出し方向の駆動力は巻取軸に伝達されないため、スクリーンが巻取軸に誤った方向、すなわち逆巻きに巻き取られるのを防止することができ、延いてはスクリーン又はスクリーン装置自体の破損を抑止することができる。
【０００８】
【発明の実施の形態】
本発明の実施の形態を図面に基づいて詳細に説明するに、図１乃至図５は、本発明の巻取式スクリーン装置を防虫網戸に適用した場合の一実施例を示している。
この防虫網戸は、図１及び図２に示すように、建物開口部の上枠部材（図示省略）に沿って取り付けられるスクリーンボックス２と、該ボックス２の内部において回転自在に支持された巻取軸４と、該巻取軸４に巻き付けられて先端が上記ボックス２の下面のスリット６から導出されるところのスクリーンを構成する防虫ネット７と、該ネット７の先端に取り付けられたボトムバー８と、上記ボックス２の両端部から下方に向けて縦設され、上記ネット７の開閉操作時に該ネット７及びボトムバー８の左右両端部を摺動自在に案内する左右一対のガイドレール９とを備え、後述する駆動キャップ１２に設けた駆動手段１７の一部を構成する操作紐１８を操作して上記巻取軸４を正逆回転させることにより、上記ネット７の繰り出し及び巻き取りをできるようにしている。
【０００９】
上記スクリーンボックス２は、図１に示すように、その左右端にそれぞれ端蓋１３，１４及び本体１５，１６からなる軸受キャップ１１及び駆動キャップ１２を取り付けており、該軸受キャップ１１及び駆動キャップ１２における本体１５及び１６のボックス２内側に向く面に突設された軸支部１５ａ，１６ａに、上記巻取軸４の両端に嵌着した軸キャップ２０，２２により該巻取軸４を回転自在に支持させている。また、上記ボックス２の下面には、巻取軸４に巻き付けたネット７を導出するためのスリット６が設けられている（図２参照）。
【００１０】
上記ボックス２の一端（図１において右端側）に取り付けた駆動キャップ１２は、上記巻取軸４を正逆回転させるための駆動手段１７を備えている。該駆動手段１７は、上記ネット７の繰り出しまたは巻き取りのための操作手段としての操作紐１８を巻き付けた一方向クラッチ機構内蔵のプーリー２４を回転自在に支持することにより構成されている。そして、該駆動キャップ１２における駆動手段１７には、上記巻取軸４をネット７の巻き取り方向に駆動する場合には該巻取軸４に駆動力を伝達するが、巻取軸４をネット７の繰り出し方向に駆動する場合には、該ネット７の全繰り出し後においてネット７にボトムバー８の重量が繰り出し方向回転力として作用しなくなり、あるいはネット７の逆巻きにより該ボトムバー８の重量が巻取軸４の回転駆動の抵抗力になったときに駆動力の伝達を遮断するところの、上記ネット７の逆巻き防止機構を付設している。
また、上記駆動キャップ１２の端蓋１４の内側には、一方向クラッチ機構も収容され、このクラッチ機構の一部を形成するクラッチ筒１２ａが端蓋１４の内面側に一体に形成されている。
【００１１】
上記ネット７の逆巻き防止機構について更に具体的に説明すると、該逆巻き防止機構は、図３に詳細に示すように、上記巻取軸４の端部に嵌着される軸キャップ２２の嵌着部２２ａ周面に開口部２２ｂを開設すると共に、該開口部２２ｂに、上記軸キャップ２２の嵌着部２２ａと略同径の円筒の一部を切除して略Ｃ字状に形成したラチェット２６を嵌合し、上記軸キャップ２２に、巻取軸４に駆動手段１７の操作によるネット７の巻き取りのための駆動力を伝達する伝動部材２８の伝動軸２８ａを嵌挿することにより構成している。
【００１２】
上記ラチェット２６は、その両周端に、他の周面より小径で且つ弾性的に可撓な可撓部２６ａを形成すると共に、該可撓部２６ａの内周面にそれぞれ係合突部２６ｂを形成しており、また、上記伝動部材２８における伝動軸２８ａの先端周面には、上記係合突部２６ｂと係合する伝動突起２８ｂが形成されている。
上記ラチェット２６における係合突部２６ｂは、図４の（ａ）及び（ｂ）に明瞭に示すように、巻取軸４をネット７の巻き取り方向に回転させるとき（図４（ａ）参照）に伝動突起２８ｂが係合する部分を、該伝動突起２８ｂに対面する対向面２６ｃとしており、一方、上記巻取軸４をネット７の繰り出し方向に回転させるとき（図４（ｂ）参照）に上記伝動突起２８ｂが係合する部分を、該伝動突起２８ｂの当接による押圧で可撓部２６ａを変形させることによりその係合が解除される斜面２６ｄとしている。
【００１３】
すなわち、上記伝動突起２８ｂは、上記駆動手段１７の操作により巻取軸４をネット７の巻き取り方向に回転させたときには、上記ラチェット２６の係合突部２６ｂと係合してネット７の巻き取り方向の駆動力を伝達することができ、一方、上記駆動手段１７の操作により巻取軸４をネット７の繰り出し方向に回転させたときには、該ネット７の全繰り出し後において、ボトムバー８の重量がネット７を介して巻取軸４に繰り出し方向回転力として作用しなくなり、あるいはネット７の逆巻き開始により該ボトムバー８の重量が巻取軸４の回転駆動の抵抗力になったときに、上記ラチェット２６の係合突部２６ｂを可撓部２６ａが拡径方向に撓む方向に押圧して伝動部材２８を空転させ、上記ネット７の繰り出し方向の駆動力を遮断するようにしている。したがって、上記可撓部２６ａには上記動作に必要な弾性的可撓性を持たせることが必要になる。
【００１４】
前記駆動キャップ１２内の一方向クラッチ機構は、巻取軸４側からの回転力により伝動部材２８が回転するのは防止するが、駆動手段１７における操作紐１８の操作による回転力は、伝動部材２８を介して上記ネット７の巻き取り又は繰り出しのために巻取軸４に伝達できるようにしたものである。
【００１５】
上記一方向クラッチ機構の構成について説明すると、上記駆動キャップ１２の端蓋１４の内面に設けたクラッチ筒１２ａには、縮径方向に付勢されて該クラッチ筒１２ａの表面に圧接するクラッチばね３０を巻着し、そのクラッチばね３０の両端に互いに対向する外向き折曲部（図示省略）を形成している。一方、上記伝動部材２８における伝動軸２８ａの基端には、上記クラッチ筒１２ａ内において回転自在に支持される内筒部２８ｅ、及びクラッチ筒１２ａに巻着したクラッチばね３０の周囲に突出し、その周囲の一部に切欠部２８ｄを設けた外筒部２８ｃを設け、また、上記プーリー２４を上記外筒部２８ｃの周囲の円周面に回転自在に嵌合し、このプーリー２４の内面に突設した係合凸部２４ａを、上記切欠部２８ｄに十分な隙間を介在させて挿入している。
【００１６】
そして、上記クラッチばね３０の一対の折曲部を、上記外筒部２８ｃの切欠部２８ｄにおいて、プーリー２４から突設した係合凸部２４ａの両側に位置させている。上記クラッチばね３０は、クラッチ筒１２ａの周囲において縮径方向に付勢されているが、プーリー２４の回転により係合凸部２４ａがクラッチばね３０の一対の折曲部のいずれかを押す方向は、クラッチばね３０の巻き径が大きくなってクラッチ筒１２ａに対する巻付きを解除する方向である。
【００１７】
従って、上記クラッチ機構におけるプーリー２４をいずれかの方向に回転させると、そのプーリー２４の内面に設けた係合凸部２４ａがクラッチばね３０の両端の折曲部３０ａのいずれかに係合して、その折曲部３０ａをクラッチばね３０の巻き径が大きくなる方向に移動させる。そのため、クラッチばね３０とクラッチ筒１２ａとの間の摩擦力が低下して、プーリー２４がその係合凸部２４ａにより伝動軸２８ａの基部の外筒部２８ｃを押圧しながら回転し、その回転が伝動軸２８ａに伝達されて、ラチェット２６を介して巻取軸４に伝達される。
しかるに、巻取軸４からの回転力等によって伝動軸２８ａに回転力が作用しても、該伝動軸基部の外筒部２８ｃにおける切欠部２８ｄの内側面がクラッチばね３０の一対の折曲部３０ａのいずれかを押す方向は、クラッチばね３０の巻き径を小さくしてクラッチ筒１２ａに対する巻付きを強める方向であるため、伝動軸２８ａが駆動キャップ１２における上記端蓋１４に固定され、巻取軸４が回転することはなく、即ちネット７が繰り出されることはない。
【００１８】
なお、図１及び図２中の符号３２は、ネット７の先端に取り付けるボトムバー８に付設した重錘であり、この重錘３２は、繰り出したネット７に緊張力を付与するとともに、上記ネット７を介して巻取軸４に繰り出し方向回転力を付与するためのものである。この重錘３２は、ボトムバー自体に必要な重量があれば設ける必要がない。
【００１９】
上記構成を有する巻取式スクリーン装置は、巻取軸４をネット７の巻き取り方向に駆動する場合には該巻取軸４に駆動力を伝達するが、巻取軸４をネット７の繰り出し方向に駆動する場合には、ネット７の全繰り出し後においてネット７にボトムバー８の重量が繰り出し方向の回転力として作用しなくなり、あるいはネット７の逆巻きにより該ボトムバー８の重量が巻取軸４の回転駆動の抵抗力になったときに駆動力の伝達を遮断する。したがって、ネット７の全繰り出し後において、駆動手段１７の操作により巻取軸４をネット７の巻き取り方向に回転させることはできるが、ネット７の繰り出し方向の駆動力は巻取軸４に伝達されないため、ネット７が巻取軸４に誤った方向、すなわち逆巻きに巻き取られるのを防止することができ、延いてはネット７又はスクリーン装置自体の破損を抑止することができる。
【００２０】
なお、ラチェット２６は、図３及び図５に示すように、その向きを上下反転させて嵌着することにより（図中の符号２６′）、駆動キャップ１２並びにネット７の逆巻き防止機構に関連する構造が逆の伝動動作を行うように構成している。このラチェット２６′の構成及び作用は、上記ラチェット２６と同様であるから、その符号に「′」を付して示し、その説明を省略する。
上述した実施例においては、駆動キャップ１２並びにネット７の逆巻き防止機構に関連する構造をスクリーンボックス２の右側に設けた場合について記載したが、必要に応じてスクリーンボックス２の左側に設けることもでき、この場合に上記ラチェット２６を反転使用できることは、部品の共用を可能にする点で有効である。
【００２１】
【発明の効果】
以上に詳述したように、本発明の巻取式スクリーン装置は、巻取軸をスクリーンの巻き取り方向に駆動する場合には該巻取軸に駆動力を伝達するが、巻取軸をスクリーンの繰り出し方向に駆動する場合には、スクリーンの全繰り出し後においてスクリーンにボトムバーの重量が繰り出し方向の回転力として作用しなくなり、あるいはスクリーンの逆巻きにより該ボトムバーの重量が巻取軸の回転駆動の抵抗力になったときに駆動力の伝達を遮断する。したがって、スクリーンの全繰り出し後において、駆動手段の操作により巻取軸をスクリーンの巻き取り方向に回転させることはできるが、スクリーンの繰り出し方向の駆動力は巻取軸に伝達されないため、スクリーンが巻取軸に誤った方向、すなわち逆巻きに巻き取られるのを防止することができ、延いてはスクリーン又はスクリーン装置自体の破損を抑止することができる。
このように、本発明の巻取式スクリーン装置によれば、簡易な構造により、スクリーンの逆巻きを防止することができる。
【図面の簡単な説明】
【図１】本発明に係る巻取式スクリーン装置の実施例の一部破断正面図である。
【図２】同側断面図である。
【図３】スクリーンの逆巻き防止機構の構造を示す分解斜視図である。
【図４】スクリーンの逆巻き防止機構の断面図で、（ａ）は伝動軸をスクリーンの巻き取り方向に駆動するときの状態を、（ｂ）は伝動軸をスクリーンを繰り出す方向に駆動するときの状態を示すものである。
【図５】（ａ）及び（ｂ）は、逆巻き防止機構におけるラチェットを反転使用する場合における図４と同様の断面図である。
【符号の説明】
２    スクリーンボックス
４    巻取軸
７    ネット
８    ボトムバー
１１    軸受キャップ
１２    駆動キャップ
１７    駆動手段
２０，２２    軸キャップ
２２ａ  嵌着部
２２ｂ  開口部
２６，２６′    ラチェット
２６ａ，２６ａ′  可撓部
２６ｂ，２６ｂ′  係合突部
２６ｃ，２６ｃ′  対向面
２６ｄ，２６ｄ′  斜面
２８    伝動部材
２８ａ  伝動軸
２８ｂ  伝動突起
３２    重錘
【図１】
2005023682.tif 000003
【図２】
2005023682.tif 000004
【図３】
2005023682.tif 000005
【図４】
2005023682.tif 000006
【図５】
2005023682.tif 000007